(57)【特許請求の範囲】
【請求項１】
放射線画像情報が蓄積可能な記録媒体を収納するカセッテが装填されるカセッテ装填部、又は前記カセッテが排出されるカセッテ排出部の少なくとも一方に設けられるカセッテ処理装置であって、
前記カセッテが配列される複数のスタック部と、
各スタック部に配列される前記カセッテを、各カセッテの種別に応じて異なる傾斜角度に傾動保持する傾動機構と、
を備えることを特徴とするカセッテ処理装置。
【請求項２】
請求項１記載のカセッテ処理装置において、前記カセッテの種別を検出する検出機構と、
前記検出機構による検出情報に基づいて前記傾動機構を制御する制御機構と、
を備えることを特徴とするカセッテ処理装置。
【請求項３】
請求項１又は２記載のカセッテ処理装置において、前記カセッテの種別は、少なくとも該カセッテの寸法又は前記記録媒体の感度を含むことを特徴とするカセッテ処理装置。
【発明の詳細な説明】
【技術分野】
【０００１】
本発明は、放射線画像情報が蓄積可能な記録媒体を収納するカセッテが装填されるカセッテ装填部、又は前記カセッテが排出されるカセッテ排出部の少なくとも一方に設けられるカセッテ処理装置に関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体パネルを用いた放射線画像情報読取装置が知られている。
【０００３】
蓄積性蛍光体パネルは、通常、カセッテに収容された状態で被写体の放射線撮影が行われた後、放射線画像情報読取装置に装填される。この放射線画像情報読取装置内では、蓄積性蛍光体パネルがカセッテから取り出されて前記蓄積性蛍光体パネルに蓄積記録された放射線画像情報の読み取り処理が施された後、必要に応じて残存する放射線画像情報の消去処理が行われている。消去処理後の蓄積性蛍光体パネルは、カセッテに戻された後、放射線画像情報読取装置から排出されて次なる被写体の放射線撮影に供されている。
【０００４】
ここで、効率的な放射線画像情報の読取処理を遂行するために、多数のカセッテを連続的に処理することが望まれており、例えば、特許文献１に開示されたストレージ蛍光体カセッテオートローダが知られている。
【０００５】
図８に示すように、ストレージ蛍光体カセットオートローダ１は、本体２の前部にドア３を介してポータル４が開閉自在であり、このポータル４から前記本体２の内部にアクセスすることができる。ポータル４には、左右一対のコンベア５ａ、５ｂが鉛直方向に延在して設けられるとともに、前記コンベア５ａ、５ｂを構成するエンドレスベルト６ａ、６ｄには、それぞれ所定間隔ずつ離間して棚７ａ、７ｂが形成されている。
【０００６】
本体２内には、コンベア５ａ、５ｂを介してローディングカセットサイト８ａ、読取カセットサイト８ｂ及びアンローディングカセットサイト８ｃが、上下に設けられている。
【０００７】
そこで、オペレータは、ドア３を開放してストレージ蛍光体カセット９を所定のローディングカセットサイト８ａに置いた後、前記ドア３を閉じる。次に、コンベア５ａ、５ｂが駆動されると、ストレージ蛍光体カセット９は、下方に順次送られて、前記ストレージ蛍光体カセット９が読取カセットサイト８ｂに配置されると、図示しない読取装置が前記ストレージ蛍光体カセット９内からストレージ蛍光体を抜き出して、読取処理が施される。
【０００８】
処理後のストレージ蛍光体は、ストレージ蛍光体カセット９に戻された後、このストレージ蛍光体カセット９は、コンベア５ａ、５ｂを介してアンローディングカセットサイト８ｃに送られる。さらに、コンベア５ａ、５ｂが停止した後、アンローディングカセットサイト８ｃからストレージ蛍光体カセット９が取り出される。
【０００９】
【特許文献１】特開平７−２５４１８号公報（図２）
【発明の開示】
【発明が解決しようとする課題】
【００１０】
しかしながら、特許文献１では、ストレージ蛍光体カセット９が配置される棚７ａ、７ｂの間隔が一定であるため、寸法の小さなストレージ蛍光体カセット９を配置する際には、大型カセットに適合させたアダプタやパレット等を使用しなければならない。これにより、特に、寸法の異なる多種類のストレージ蛍光体カセット９が使用される際には、これらのストレージ蛍光体カセット９の取り扱い作業が相当に煩雑になるという問題がある。
【００１１】
本発明はこの種の問題を解決するものであり、種別の異なる各カセッテを容易且つ確実に取り扱うことができ、作業性を良好に向上させることが可能なカセッテ処理装置を提供することを目的とする。
【課題を解決するための手段】
【００１２】
本発明は、放射線画像情報が蓄積可能な記録媒体を収納するカセッテが装填されるカセッテ装填部、又は前記カセッテが排出されるカセッテ排出部の少なくとも一方に設けられるカセッテ処理装置である。
【００１３】
カセッテ処理装置は、カセッテが配列される複数のスタック部と、各スタック部に配列される前記カセッテを、各カセッテの種別に応じて異なる傾斜角度に傾動保持する傾動機構とを備えている。
【００１４】
また、カセッテ処理装置は、カセッテの種別を検出する検出機構と、前記検出機構による検出情報に基づいて傾動機構を制御する制御機構とを備えることが好ましい。さらに、カセッテの種別は、少なくともカセッテの寸法又は記録媒体の感度を含むことが好ましい。
【発明の効果】
【００１５】
本発明では、カセッテが、種別に応じて異なる傾斜角度に傾動保持されるため、種別の異なるカセッテは、該カセッテを把持するための角部位置が互いにずれた状態で配置される。従って、例えば、大サイズのカセッテ間に小サイズのカセッテが配列されている際にも、前記小サイズのカセッテの角部を、前記大サイズのカセッテの端部から突出させることができる。
【００１６】
これにより、小サイズのカセッテの角部を把持することにより、前記小サイズのカセッテを大サイズのカセッテ間から容易且つ確実に取り出すことが可能になる。一方、大サイズのカセッテ間に小サイズのカセッテを良好に装填することができる。このため、種別の異なるカセッテの取り扱い作業性が良好に向上する。
【発明を実施するための最良の形態】
【００１７】
図１は、本発明の第１の実施形態に係るカセッテ処理装置、例えば、放射線画像情報読取装置１０の外観図であり、図２は、前記放射線画像情報読取装置１０の内部構成図である。
【００１８】
放射線画像情報読取装置１０は、カセッテ１２が装填されると、このカセッテ１２に収納された蓄積性蛍光体パネル１４に記録された放射線画像情報を読み取った後、残存する放射線画像情報を消去し、前記カセッテ１２に収納して該カセッテ１２を排出する機能を備える。
【００１９】
カセッテ１２は、図３に示すように、一端部に蓄積性蛍光体パネル１４を挿脱するための開口部１６を有する。カセッテ１２の側面及び開口部１６寄りの正面には、前記カセッテ１２のサイズや、収納される蓄積性蛍光体パネル１４の感度等の識別情報（種別）を記録したバーコード、ＩＣチップ又はＲＦＩＤ（Radio Frequency Identification）等の識別部２０、２２が配設される。
【００２０】
カセッテ１２に収納される蓄積性蛍光体パネル１４は、例えば、ガラス等の硬質材料からなる支持基板２６に柱状の蓄積性蛍光体層２８を蒸着して形成される硬質のシートを用いることができる。なお、蓄積性蛍光体層２８は、真空容器内で蓄積性蛍光体を加熱して蒸発させ、これらを支持基板２６上に付着させる真空蒸着法、スパッタリング法、ＣＶＤ、イオンフレーティング法を用いて形成することができる。
【００２１】
また、蓄積性蛍光体パネル１４は、可撓性の支持基板を有するシート体で構成するとともに、カセッテ１２は、前記シート体を収容する本体部の端部に開閉可能な蓋体を設けて構成してもよい。
【００２２】
蓄積性蛍光体パネル１４の両側部には、係止用板ばね３０ａ、３０ｂが取着される。蓄積性蛍光体パネル１４をカセッテ１２に挿入した際、これらの係止用板ばね３０ａ、３０ｂがカセッテ１２の孔部３４ａ、３４ｂに係止し、前記蓄積性蛍光体パネル１４が前記カセッテ１２に固定保持される。孔部３４ａ、３４ｂにロック解除ピン（後述）が挿入されることにより、蓄積性蛍光体パネル１４の係止が解除される。
【００２３】
図２に示すように、放射線画像情報読取装置１０は、複数のカセッテ１２を装填可能なカセッテ装填部３８と、複数の前記カセッテ１２が排出されるカセッテ排出部４０と、前記カセッテ１２を前記カセッテ装填部３８と前記カセッテ排出部４０との間で搬送するカセッテ搬送部４２と、前記カセッテ１２から取り出された蓄積性蛍光体パネル１４に対する読取処理を行う読取部４４と、前記蓄積性蛍光体パネル１４に残存する放射線画像情報の消去処理を行う消去部４６とを備える。
【００２４】
カセッテ装填部３８は、種々のサイズからなる複数のカセッテ１２を同時に装填可能であり、このカセッテ装填部３８の底面部４８は、カセッテ排出部４０から離間する方向（矢印Ａ方向）に向かって下方向に傾斜する。底面部４８の最下部には、カセッテ１２を放射線画像情報読取装置１０の内部に取り込むための開閉蓋５０が配設される。
【００２５】
カセッテ搬送部４２は、カセッテ装填部３８から供給されたカセッテ１２を保持する第１処理機構５２及び第２処理機構５４を有する。第１処理機構５２は、上下に配設されたガイド部材５６、５８にガイドされ、カセッテ装填部３８の下部の第１処理部６０から第２処理部６２を介して第３処理部６４までの間を往復動作可能に構成される。第２処理機構５４は、ガイド部材５６、５８にガイドされ、第３処理部６４からカセッテ排出部４０の下部の第４処理部６６までの間を往復動作可能に構成される。
【００２６】
第１処理機構５２は、カセッテ装填部３８からニップローラ６８によって供給されたカセッテ１２の下端部を支持するとともに、前記カセッテ１２の端部に形成された孔部３６ａ、３６ｂに挿入されて蓄積性蛍光体パネル１４を前記カセッテ１２から排出する排出ピン（図示せず）を設ける。第１処理機構５２は、カセッテ装填部３８から供給されるカセッテ１２に配設された識別部２０に記録された前記カセッテ１２のサイズ情報や感度情報等の種別を読み取る検出部７０を備える。識別部２０及び検出部７０は、カセッテ１２の種別を検出する検出機構を構成する。
【００２７】
第１処理機構５２には、カセッテ１２の両側部に形成された孔部３４ａ、３４ｂに挿入されることで、蓄積性蛍光体パネル１４のカセッテ１２に対するロック状態を解除するロック解除ピン（図示せず）が配設される。
【００２８】
第２処理機構５４は、第１処理機構５２によって第３処理部６４に搬送されたカセッテ１２の両側部を把持するとともに、上下方向に移動可能な把持板７２ａ、７２ｂを有する。
【００２９】
カセッテ排出部４０は、第４処理部６６からニップローラ７４により開閉蓋７６を介して排出される複数のカセッテ１２を収容する。カセッテ排出部４０は、必要に応じて矢印Ｂ方向に向かって傾斜する短尺な底面部７８を設ける。
【００３０】
カセッテ排出部４０は、図４及び図５に示すように、カセッテ１２が配列される複数のスタック部８０ａ〜８０ｅと、各スタック部８０ａ〜８０ｅに配列される前記カセッテ１２を各カセッテ１２の種別に応じて異なる傾斜角度に傾度を保持する傾動機構８２とを備える。
【００３１】
スタック部８０ａ〜８０ｅは、矢印Ｂ方向に向かって下方に傾斜する支持軸８４に対し、それぞれ揺動自在に構成される。スタック部８０ａ〜８０ｅは、側面視略Ｌ字状を有しており、カセッテ１２を載置する載置部８６ａと、前記カセッテ１２の側部を支持する背面部８６ｂとを有する。
【００３２】
傾動機構８２は、モータ８８を備え、このモータ８８の出力軸に回転軸９０が連結される。回転軸９０は、スタック部８０ａ〜８０ｅの下部側をカセッテ１２の配列方向に向かって延在しており、前記スタック部８０ａ〜８０ｅの各載置部８６ａに対応してクラッチ９２及び偏心カム９４が配設される。
【００３３】
各クラッチ９２は、それぞれ偏心カム９４に回転軸９０の回転力を伝達及び遮断する機能を有するとともに、前記偏心カム９４は、それぞれの載置部８６ａの下面に接触して、前記載置部８６ａを所定の角度姿勢の保持可能である。各クラッチ９２は、クラッチ切替回路９６を介して制御部９８に接続されるとともに、この制御部９８は、モータ８８に接続される。制御部９８は、放射線画像情報読取装置１０の運転制御を行うものであり、例えば、検出部７０等の検出器の他、各種駆動部に接続される。
【００３４】
図２に示すように、カセッテ搬送部４２と読取部４４との間は、隔壁１００によって隔離され、且つ、蓄積性蛍光体パネル１４が出入する部位にシャッタ機構１０２、１０４が配設されることにより、光密な状態に保持される。シャッタ機構１０２と第２処理部６２との間には、ニップローラ１０６が配設される。
【００３５】
読取部４４は、鉛直上方向に延在する直線状の読取搬送路１１０を備え、この読取搬送路１１０の略中央部には、前記読取搬送路１１０によって副走査方向に搬送される蓄積性蛍光体パネル１４に対して、レーザビームからなる励起光Ｌを主走査方向に照射する励起光走査部１１２が配設される。励起光Ｌによる主走査線に近接し、蓄積性蛍光体パネル１４から得られる輝尽発光光を集光する集光ガイド１１４の一端部が配設され、集光ガイド１１４の他端部には、輝尽発光光を電気信号に変換するフォトマルチプライア等からなる光電変換部１１６が配設される。
【００３６】
読取搬送路１１０の上部には、放射線画像情報が読み取られた蓄積性蛍光体パネル１４を略水平方向に搬送するシート搬送部１１８が配設される。カセッテ排出部４０側に移動したシート搬送部１１８の下部には、シャッタ機構１０４が配設される。
【００３７】
シャッタ機構１０４と、カセッテ搬送部４２の第３処理部６４との間には、蓄積性蛍光体パネル１４に残存する放射線画像情報を消去する消去ユニット１２０が配設される。消去ユニット１２０は、ハロゲンランプ等の消去光を出力する複数の光源を有する。なお、消去ユニット１２０の上下には、蓄積性蛍光体パネル１４を消去部４６からカセッテ搬送部４２に供給するためのニップローラ１２２、１２４が配設される。
【００３８】
第１の実施形態に係る放射線画像情報読取装置１０は、以上のように構成されるものであり、次にその動作について説明する。
【００３９】
先ず、作業者は、放射線画像情報が蓄積記録された蓄積性蛍光体パネル１４を収納するカセッテ１２をカセッテ装填部３８に装填する。カセッテ装填部３８には、サイズの異なる複数のカセッテ１２が同時に装填可能である。
【００４０】
カセッテ１２が装填されると、図２に示すように、開閉蓋５０が回動してこの開閉蓋５０上に装填されたカセッテ１２は、順次、放射線画像情報読取装置１０の内部に取り込まれる。放射線画像情報読取装置１０の内部に取り込まれたカセッテ１２は、ニップローラ６８によって挟持搬送され、第１処理部６０に待機する第１処理機構５２に供給される。
【００４１】
その際、カセッテ１２は、例えば、識別部２０に記録されたサイズ情報が第１処理機構５２の検出部７０によって読み取られる。さらに、第１処理機構５２は、ガイド部材５６、５８にガイドされた状態でカセッテ１２を第２処理部６２まで搬送する。
【００４２】
次いで、ロック解除ピン（図示せず）がカセッテ１２の孔部３４ａ、３４ｂに挿入され、係止用板ばね３０ａ、３０ｂの係止が解除される。そして、カセッテ１２に収納された蓄積性蛍光体パネル１４が開口部１６から上部に露出すると、第２処理部６２の上部に配設されたニップローラ１０６は、前記蓄積性蛍光体パネル１４の上端部を把持し、シャッタ機構１０２を介して読取部４４側に供給する。
【００４３】
一方、蓄積性蛍光体パネル１４を排出したカセッテ１２を保持する第１処理機構５２は、ガイド部材５６、５８にガイドされた状態で第３処理部６４まで前記カセッテ１２を搬送する。第３処理部６４には、把持板７２ａ、７２ｂを有する第２処理機構５４が待機しており、前記把持板７２ａ、７２ｂがカセッテ１２の両側部を把持する。また、第１処理機構５２は、第１処理部６０まで移動し、カセッテ装填部３８から供給される次のカセッテ１２に対する処理を行う。
【００４４】
読取部４４に供給された蓄積性蛍光体パネル１４は、読取搬送路１１０によって上方向に副走査搬送されるとともに、励起光走査部１１２から出力される励起光Ｌによって主走査される。励起光Ｌが照射された蓄積性蛍光体パネル１４からは、蓄積記録された放射線画像情報に対応した輝尽発光光が出力される。この輝尽発光光は、集光ガイド１１４を介して光電変換部１１６に導かれ、電気信号に変換される。
【００４５】
放射線画像情報の読み取られた蓄積性蛍光体パネル１４は、シート搬送部１１８により水平方向に搬送された後、シャッタ機構１０４を介して下方向に搬送される。シャッタ機構１０４８の下部には、消去ユニット１２０が配設されており、ニップローラ１２２、１２４によって下方向に挟持搬送される蓄積性蛍光体パネル１４は、前記消去ユニット１２０から消去光が照射されることにより、残存する放射線画像情報が消去される。消去処理が終了した蓄積性蛍光体パネル１４は、第３処理部６４に待機するカセッテ１２に開口部１６から挿入される。
【００４６】
蓄積性蛍光体パネル１４を収納したカセッテ１２は、第２処理機構５４によって第４処理部６６まで搬送された後、把持板７２ａ、７２ｂにより把持された状態で上方向に変位する。次に、カセッテ１２は、上端部がニップローラ７４により挟持され、開閉蓋７６を介してカセッテ排出部４０に排出される。
【００４７】
カセッテ排出部４０では、スタック部８０ａ〜８０ｅが、各カセッテ装填部３８から離間する方向（矢印Ｂ方向）に向かって下方向に傾斜しており、前記カセッテ排出部４０に排出されたカセッテ１２は、最下位置に位置するスタック部８０ａに載置される。なお、スタック部８０ａ〜８０ｅを矢印Ｂ方向に水平に配置するとともに、各カセッテ１２が駆動機構（図示せず）を介して矢印Ｂ方向に移動可能に構成してもよい。
【００４８】
次いで、カセッテ排出部４０に排出される２番目のカセッテ１２は、スタック部８０ａ上の１番目のカセッテ１２に当接してスタック部８０ｂ上に載置される。同様にして、スタック部８０ｃ〜８０ｅには、順次、カセッテ１２が載置される（図４参照）。
【００４９】
その際、カセッテ１２は、種別に応じて、例えば、サイズに応じてカセッテ１２ａ、１２ｂ及び１２ｃが用いられており、前記カセッテ１２ａ〜１２ｃがカセッテ排出部４０に配置されている。なお、最大寸法のカセッテ１２は、カセッテ１２ａであり、最小サイズのカセッテ１２は、カセッテ１２ｃであり、中間サイズのカセッテ１２は、カセッテ１２ｂである。
【００５０】
このように、カセッテ排出部４０では、それぞれサイズの異なるカセッテ１２ａ〜１２ｃが配列されており、第１の実施形態では、それぞれ異なるサイズのカセッテ１２ａ、１２ｂ及び１２ｃが、それぞれ異なる傾斜角度に傾動保持されている。
【００５１】
具体的には、図４及び図５に示すように、傾動機構８２を構成するモータ８８が駆動され、回転軸９０が回転駆動される。この回転軸９０には、それぞれクラッチ９２を介して複数、第１の実施形態では、スタック部８０ａ〜８０ｅに対応して５つの偏心カム９４が連結可能に設けられている。従って、制御部９８は、クラッチ切替回路９６を介して各クラッチ９２を開閉操作し、各偏心カム９４がスタック部８０ａ〜８０ｅを構成する各載置部８６ａの下面に当接する外周部位置の調整が行われる。
【００５２】
大サイズのカセッテ１２ａを載置するスタック部８０ａ、８０ｄでは、図５に示すように、偏心カム９４の小径側の外周面が載置部８６ａの下面に当接することにより、前記カセッテ１２ａは、鉛直方向から比較的小さな傾斜角度α１°だけ傾斜して保持される（図６参照）。中サイズのカセッテ１２ｂを載置するスタック部８０ｂでは、偏心カム９４の中径側の外周面が載置部８６ａの下面に当接し、前記カセッテ１２ｂは、鉛直方向から傾斜角度α２（＞α１）°だけ傾斜して保持される（図６参照）。
【００５３】
さらに、最小サイズのカセッテ１２ｃを載置するスタック部８０ｃ、８０ｅでは、図５に示すように、偏心カム９４の大径側の外周面が載置部８６ａの下面に当接し、前記カセッテ１２ｃを鉛直方向から比較的大きな傾斜角度α３（＞α２）°だけ傾斜して保持する（図６参照）。
【００５４】
これにより、中サイズのカセッテ１２ｂの角部１３０は、大サイズのカセッテ１２ａの端部１３２から外方（矢印Ｃ方向）に突出するとともに、小サイズのカセッテ１２ｃの角部１３４は、前記カセッテ１２ａの端部１３２及び前記カセッテ１２の端部１３６から外方に突出している。従って、大サイズのカセッテ１２ａに隣接する中サイズのカセッテ１２ｂは、外部に突出する角部１３０を把持することにより、容易且つ確実に取り出すことができる。
【００５５】
さらに、中サイズのカセッテ１２ｂと大サイズのカセッテ１２ａとの間に配列されている小サイズのカセッテ１２ｃは、同様に外部の突出する角部１３４を把持することにより、カセッテ排出部４０から容易且つ確実に取り出すことが可能になる。このため、サイズの異なる種々のカセッテ１２の取り扱い作業性が一挙に簡素化するという効果が得られる。
【００５６】
また、カセッテ１２には、このカセッテ１２のサイズや収納される蓄積性蛍光体パネル１４の感度等の識別情報がバーコード、ＩＣチップ又はＲＦＩＤ等の識別部２０、２２に記録されている。従って、識別部２０及び／又は識別部２２に記憶された識別情報を読み取ることにより、制御部９８は、各カセッテ１２ａ〜１２ｃをそれぞれ所望の傾斜角度に確実に傾動保持することができる。
【００５７】
なお、第１の実施形態では、それぞれサイズの異なるカセッテ１２ａ〜１２ｃを異なる傾斜角度に傾動保持する場合について説明したが、これに限定されるものではない。例えば、同一サイズのカセッテ１２内にそれぞれ感度の異なる蓄積性蛍光体パネル１４が収容されている際にも、各カセッテ１２を所望の傾斜角度に傾動保持することができる。これにより、所望の感度の蓄積性蛍光体パネル１４を収容するカセッテ１２の取り出し作業が確実に遂行されるという利点がある。
【００５８】
さらに、第１の実施形態では、カセッテ排出部４０にスタック部８０ａ〜８０ｅと傾動機構８２とを設けているが、カセッテ装填部３８に前記スタック部８０ａ〜８０ｅと前記傾動機構８２とを設けることもできる。このため、種々のサイズの異なるカセッテ１２ａ〜１２ｃをカセッテ装填部３８に良好に装填することができ、操作性の向上が図られる。
【００５９】
さらにまた、カセッテ１２の識別情報を放射線画像情報読取装置１０の外部に設けられた制御機構やネットワーク等により保管及び管理し、カセッテ排出部４０及び／又はカセッテ装填部３８における各カセッテ１２ａ〜１２ｃの傾斜角度を制御してもよい。
【００６０】
また、放射線画像情報読取装置１０、カセッテ排出部４０又は制御部９８にボタン等のスイッチを設け、このスイッチを操作することによって、あるいは、使用されるカセッテ１２の情報を入力又は読み取り前記カセッテ１２の傾斜角度を予め設定することによって、次に使用されるカセッテ１２のみを選択して傾斜させて取り出しを確実に行わせることも可能である。
【００６１】
図７は、本発明の第２の実施形態に係るカセッテ処理装置を構成する傾動機構１４０及びスタック部８０ａ〜８０ｅの概略斜視説明図である。なお、第１の実施形態に係る放射線画像情報読取装置１０と同一の構成要素には同一の参照符号を付して、その詳細な説明は省略する。
【００６２】
傾動機構１４０は、スタック部８０ａ〜８０ｅを構成する各載置部８６ａの下面に配置されるシリンダ１４２を備える。各シリンダ１４２から延在するロッド１４４は、各載置部８６ａの下面に当接又は連結されている。従って、シリンダ１４２を選択的に駆動することにより、例えば、スタック部８０ｂの傾動角度をスタック部８０ａの傾動角度よりも大きくすることができる。これにより、第２の実施形態では、第１の実施形態と同様の効果が得られる。
【図面の簡単な説明】
【００６３】
【図１】本発明の第１の実施形態に係る放射線画像情報読取装置の外観図である。
【図２】前記放射線画像情報読取装置の内部構成図である。
【図３】前記放射線画像情報読取装置に装填されるカセッテの構成図である。
【図４】前記放射線画像情報読取装置を構成するスタック部及び傾動機構の説明図である。
【図５】前記スタック部及び前記傾動機構の概略斜視説明図である。
【図６】サイズの異なるカセッテを傾動保持した状態の説明図である。
【図７】本発明の第２の実施形態に係るカセッテ処理装置を構成するスタック部及び傾動機構の概略斜視説明図である。
【図８】特許文献１に開示されたストレージ蛍光体カセッテオートローダの説明図である。
【符号の説明】
【００６４】
１０…放射線画像情報読取装置        １２、１２ａ〜１２ｃ…カセッテ
１４…蓄積性蛍光体パネル            ３８…カセッテ装填部
４０…カセッテ排出部                ４２…カセッテ搬送部
４４…読取部                        ４６…消去部
８０ａ〜８０ｅ…スタック部          ８２、１４０…傾動機構
８６ａ…載置部                      ８６ｂ…背面部
８８…モータ                        ９０…回転軸
９２…クラッチ                      ９４…偏心カム
９６…クラッチ切替回路              ９８…制御部
１４２…シリンダ
【図１】
0004450779.tif 000002
【図２】
0004450779.tif 000003
【図３】
0004450779.tif 000004
【図４】
0004450779.tif 000005
【図５】
0004450779.tif 000006
【図６】
0004450779.tif 000007
【図７】
0004450779.tif 000008
【図８】
0004450779.tif 000009